(57)【要約】【課題】一の側部からの作業により本体内部品の取り外しが可能な床下又は天井裏に配置される空気温調機を提供する。【解決手段】筐体１１に設けられた吸込口１４、１５、１６、１７から吸引され、熱交換器１３で熱交換された空気を、筐体１１内に取り付けられたファン１８、１９の回転によって筐体１１に設けられた吹出口２１、２２から送り出し室内に供給する床下又は天井裏に配置される空気温調機１０であって、筐体１１の一の側部には、筐体１１内に配置される本体内部品４０、４２の出し入れを行う点検口４６が設けられ、点検口４６は、電子回路基板２７が固定される基板ケース４７を、筐体１１に取り外し可能に固定することによって密閉される。【選択図】図１
2011058651.tif 000002
【特許請求の範囲】
【請求項１】
筐体に設けられた吸込口から吸引され、熱交換器で熱交換された空気を、該筐体内に取り付けられたファンの回転によって該筐体に設けられた吹出口から送り出し室内に供給する床下又は天井裏に配置される空気温調機であって、
前記筐体の一の側部には、該筐体内に配置される本体内部品の出し入れを行う点検口が設けられ、該点検口は、電子回路基板が固定される基板ケースを、該筐体に取り外し可能に固定することによって密閉されることを特徴とする空気温調機。
【請求項２】
請求項１記載の空気温調機において、前記本体内部品は、前記熱交換器の温度を計測する温度計測センサ、及び該熱交換器の表面に付着した水滴を溜めるドレーン受けの水位を計測する水位センサであり、前記点検口が設けられた前記筐体の側部には、該温度計測センサ及び該水位センサを、前記電子回路基板にそれぞれ信号接続する第１、第２の信号コードが通される貫通孔が形成されていることを特徴とする空気温調機。
【請求項３】
請求項２記載の空気温調機において、前記点検口が設けられた前記筐体の側部には、前記基板ケースに固定された前記電子回路基板、及び前記貫通孔を通して配置された前記第１、第２の信号コードを覆う収納部蓋が取り付けられることを特徴とする空気温調機。
【発明の詳細な説明】
【技術分野】
【０００１】
本発明は、吸引した空気を熱交換して加熱又は冷却し、あるいは除湿して室内に供給する空気温調機に関する。
【背景技術】
【０００２】
従来、室内の冷暖房を行うのに、筐体内にファン及び熱交換器を備え、熱交換器で熱交換して加熱又は冷却した空気をファンの回転によって室内に送る空気温調機が用いられている。
例えば、特許文献１の空気温調機は、天井裏等に設置され、吸引した空気を熱交換し、ダクトを介して各室内（部屋）に供給している。この空気温調機には、複数のダクトが接続されており、各ダクトの空気の出側は、異なる室内に配置されているので、冷暖房する室内ごとに空気温調機を設置する必要はなく、一台の空気温調機によって複数の部屋の冷暖房を可能とし、空気温調機の導入コストを低減できる。また、その空気温調機は、床下（床下空間）に設置される場合もある。
【先行技術文献】
【特許文献】
【０００３】
【特許文献１】特許第３７４４６８４号公報
【発明の概要】
【発明が解決しようとする課題】
【０００４】
しかしながら、空気温調機が床下や天井裏に設置されている場合、作業者は、空気温調機の設置場所で、空気温調機の筐体内に取り付けられた温度計測センサ、水位センサ等の本体内部品の修理、取り換え等を行うため、高さに制限のある空間内で、筐体内から本体内部品を取り外す必要がある。そして、本体内部品の取り外しが、空気温調機の筐体の側部からできず、上部から行う必要がある場合には、床下又は天井裏での取り外し作業は困難となり、空気温調機を床下又は天井裏から取り出して本体内部品の取り出しを行う必要がある。
【０００５】
また、本体内部品の一部の取り外しを筐体の左側部から、他の本体内部品の取り外しを筐体の右側部からする必要がある場合、作業者は、高さに制限のある床下又は天井裏で、筐体の例えば左側部で取り外し作業を行った後に、反対側の右側部に回り込む必要があり、作業効率が低下する。更に、筐体には空気の流入用及び流出用のダクトが連結されているので、ダクトにより移動領域が制限され、本体内部品の取り外しに要する時間が長くなるとの問題が生じる。
本発明は、かかる事情に鑑みてなされるもので、筐体の両側部のうち一方側から本体内部品の取り外しが可能な空気温調機の提供を目的とする。
【課題を解決するための手段】
【０００６】
前記目的に沿う本発明に係る空気温調機は、筐体に設けられた吸込口から吸引され、熱交換器で熱交換された空気を、該筐体内に取り付けられたファンの回転によって該筐体に設けられた吹出口から送り出し室内に供給する床下又は天井裏に配置される空気温調機であって、前記筐体の一の側部には、該筐体内に配置される本体内部品の出し入れを行う点検口が設けられ、該点検口は、電子回路基板が固定される基板ケースを、該筐体に取り外し可能に固定することによって密閉される。
【０００７】
本発明に係る空気温調機において、前記本体内部品は、前記熱交換器の温度を計測する温度計測センサ、及び該熱交換器の表面に付着した水滴を溜めるドレーン受けの水位を計測する水位センサであり、前記点検口が設けられた前記筐体の側部には、該温度計測センサ及び該水位センサを、前記電子回路基板にそれぞれ信号接続する第１、第２の信号コードが通される貫通孔が形成されているのが好ましい。
【０００８】
本発明に係る空気温調機において、前記点検口が設けられた前記筐体の側部には、前記基板ケースに固定された前記電子回路基板、及び前記貫通孔を通して配置された前記第１、第２の信号コードを覆う収納部蓋が取り付けられるのが好ましい。
【発明の効果】
【０００９】
請求項１〜３記載の空気温調機は、筐体の一の側部に、筐体内に配置される本体内部品の出し入れを行う点検口が設けられているので、作業者は、空気温調機が配置された高さ制限のある床下又は天井裏で、本体内部品の出し入れを、筐体の点検口が設けられた側部から行うことができ、例えば、筐体の上部から本体内部品の出し入れが行われる構造を有し、高さの制限された床下又は天井裏では本体内部品の出し入れが行えず、空気温調機を床下又は天井裏から取り出して、高さ制限のない場所で本体内部品を出し入れする場合と比較して、本体内部品の出し入れ作業が効率的であり、作業時間を短縮可能である。
【００１０】
また、点検口が設けられた筐体の側部が、床下又は天井裏に出入りする出入口の近くになるように空気温調機を配置することによって、作業者は、出入口から最短距離で近づいた空気温調機の点検口のある筐体の側部から、本体内部品の出し入れが可能となり、例えば、本体内部品の一部は、筐体の一の側部から、他の本体内部品は筐体の反対側の側部から出し入れする構造であり、全ての本体内部品の取り外しに、筐体の反対側へ回り込む必要がある場合と比較して、高さ制限のある床下又は天井裏での移動を最短にすることができる。
更に、点検口は、電子回路基板が固定される基板ケースを、筐体に固定することによって密閉されるので、筐体内のファンを回転させても、点検口から空気が流入するのを防ぐことができ、熱交換する空気を吸込口のみから吸引可能である。
【００１１】
特に、請求項２記載の空気温調機は、点検口が設けられた筐体の側部に、温度計測センサ及び水位センサを、電子回路基板にそれぞれ信号接続する第１、第２の信号コードが通される貫通孔が形成されているので、筐体の点検口が設けられた側部の配置方向から、貫通孔に通され電子回路基板に連結された第１、第２の信号コードを、電子回路基板から外して、筐体の内側へ抜き取り、点検口を介して温度計測センサ及び水位センサと共に筐体の外に取り出すことが可能である。
【００１２】
請求項３記載の空気温調機は、点検口が設けられた筐体の側部には、基板ケースに固定された電子回路基板、及び貫通孔を通して配置された第１、第２の信号コードを覆う収納部蓋が取り付けられているので、電子回路基板へのほこりの付着を防ぎ、また、小動物等による損傷から、第１、第２の信号コードを保護することが可能である。
【図面の簡単な説明】
【００１３】
【図１】本発明の一実施の形態に係る空気温調機の平断面図である。
【図２】同空気温調機の斜視図である。
【発明を実施するための形態】
【００１４】
続いて、添付した図面を参照しつつ、本発明を具体化した実施の形態につき説明し、本発明の理解に供する。
図１、図２に示すように、本発明の一実施の形態に係る空気温調機１０は、箱型の筐体１１に設けられた吸込口１４、１５、１６、１７から吸引され、熱交換器１３で熱交換された空気を、筐体１１内に取り付けられたファン１８、１９の回転によって筐体１１に設けられた吹出口２１、２２から送り出し室内に供給して室内の冷暖房及び除湿をする、床下に配置される装置である。
【００１５】
吹出口２１、２２は筐体１１の前側に設けられ、吹出口２１、２２にはそれぞれ、バンド又はアルミテープ等からなる固定具２４により固定された吹出ダクト２５、２６が連結されている。そして、熱交換器１３で熱交換された空気は、吹出ダクト２５、２６を経由して、異なる室内（部屋）に送られる。
筐体１１内には、吹出口２１、２２にそれぞれ対応し、吸込口１４、１５、１６、１７から吸引し、熱交換器１３で熱交換された空気を、吹出口２１、２２を介して吹出ダクト２５、２６に送り出すファン１８、１９が備えられている。ファン１８、１９は、例えば、シロッコファンからなり、電子回路基板２７に接続されており、電子回路基板２７には、ファン１８、１９の回転制御を行うプログラムが格納された、例えば、マイクロコンピュータが搭載されている。
【００１６】
また、筐体１１内には、例えば、シロッコファンからなる床暖房ファン２８が設けられ、筐体１１から空気が吹出される床下吹出口２９には、床下への空気の流出経路である床下ダクト３０が固定具２４によって連結されている。熱交換器１３によって加熱された空気は、床暖房ファン２８の回転により、床下吹出口２９から床下ダクト３０を経由して、床下ダクト３０に取り付けられ床下の異なる方向に加熱された空気を放出する吹出チャンバ３１から床下に送られる。
床暖房ファン２８は、電子回路基板２７に接続されており、電子回路基板２７には、床暖房ファン２８の回転制御を行うプログラムが格納された、例えば、マイクロコンピュータが搭載されている。
なお、吹出口２１、２２、及び床下吹出口２９には、吹出口２１、２２、及び床下吹出口２９を介して筐体１１の外側から内側に空気が流入するのを防止する開閉機構を設けることができる。
【００１７】
吸込口１４、１５、１６、１７は、筐体１１の後側に設けられており、吸込口１４、１５、１６、１７にはそれぞれ、筐体１１内への空気の流入経路となる吸込ダクト３２、３３、３４、３５が、固定具２４によって固定され連結されている。
ここで、筐体１１内には、空気を取り込む吸込口１４、１５、１６、１７の下流（空気の流れる向き）に空気を熱交換する熱交換器１３が配置され、その下流にファン１８、１９、及び床暖房ファン２８が配置され、更に、その下流に吹出口２１、２２、及び床下吹出口２９が配置されていることになり、吸込口１４、１５、１６、１７から取り込まれた空気は、熱交換器１３の表面全体を通過して、吹出口２１、２２、及び床下吹出口２９に流れる構造となっている。この構造により、ファン１８、１９、及び床暖房ファン２８のうち一のみを回転させても、熱交換器１３全体を有効に使った熱交換をすることが可能である。また、筐体１１は、鉄、アルミ等からなり、外側が図示しない断熱材で覆われているので、筐体１１に内在する空気が、外気によって大きな温度変化を受けるのを防止している。
【００１８】
空気温調機１０内の熱交換器１３には、冷媒を高温高圧のガスにして、あるいはガス状の冷媒を凝縮し液状にする図示しない室外機が、冷媒ガス配管３６及び冷媒液配管３７によって接続されている。
室内を暖房する際、室外機によって高温高圧のガスにされた冷媒は、冷媒ガス配管３６を通って熱交換器１３に送られ、熱交換器１３を通過する空気で冷却され液化された後に冷媒液配管３７を通って室外機に戻る。そして、この熱交換器１３での冷媒の液化により生じる凝縮熱で室内を暖房することができる。
また、室内を冷房及び除湿する際、液状の冷媒が、冷媒液配管３７を介して室外機から熱交換器１３に送られ、熱交換器１３を通過する空気で加熱されガス状にされた後に、冷媒ガス配管３６を介して室外機に戻る。そして、この熱交換器１３で冷媒がガス状になる際に生じる蒸発熱で室内の冷房及び除湿を行う。
【００１９】
筐体１１内には、熱交換器１３の下側に、室内の冷房及び除湿により熱交換器１３の表面に付着した水滴を受けるドレーン受け３８が設けられ、熱交換器１３の表面から自重により落下してドレーン受け３８に溜まった水の水位を計測する水位センサ４０が取り外し可能に、例えば螺子によって筐体１１内に固定されて取り付けられている。
また、ドレーン受け３８に溜まった水を筐体１１の外に排出するドレーン管４１が、筐体１１に取り付けられている。
そして、電子回路基板２７には、水位センサ４０を介して、ドレーン受け３８に溜まった水の水位を検知し、ドレーン管４１の詰まり等により、検知される水位が一定以上になったとき、空気温調機１０の運転を停止し、漏水の発生を回避するためのプログラムが格納された例えばマイクロコンピュータが搭載されている。
【００２０】
また、筐体１１内には、熱交換器１３の温度を計測する温度計測センサの一例であるサーミスタ４２が取り付けられ、電子回路基板２７に搭載された例えばマイクロコンピュータには、サーミスタ４２を介して熱交換器１３の温度を検知し、室外機の運転を制御するプログラムが搭載されている。なお、サーミスタ４２についても、取り外し可能に、例えば螺子によって筐体１１内に固定され、取り付けられている。
【００２１】
空気温調機１０が配置されている床下は、高さが、例えば３８０ｍｍの空間であり、筐体１１は、例えば２９０ｍｍの高さを有して形成されている。そして、筐体１１の下部の四隅には、筐体１１を設置面（建屋の基礎部）から所定高さに保持する高さ調整部材４４が装着されており、高さ調整部材４４は、筐体１１の底面が設置面と例えば１０〜５０ｍｍの範囲で隙間を有するように筐体１１の高さを調整可能である。従って、筐体１１と高さ調整部材４４を合わせた空気温調機１０の高さは、例えば３００ｍｍ〜３４０ｍｍとなり、筐体１１の上側に設けられた隙間の高さは、例えば４０ｍｍ〜８０ｍｍの範囲となる。
【００２２】
筐体１１の一の側部には、筐体１１内に配置される本体内部品の一例であるサーミスタ４２及び水位センサ４０の出し入れを行う点検口４６が設けられ、点検口４６は、電子回路基板２７が固定される基板ケース４７を、筐体１１に螺子固定することによって密閉され、空気の流出入のない状態にすることができる。なお、基板ケース４７が当接する、筐体１１の点検口４６の周囲には、図示しないシール材が貼り付けられており、ファン１８、１９、及び床暖房ファン２８が作動しても、点検口４６を通って、筐体１１内に空気が流入するのを防止している。
【００２３】
基板ケース４７は、表側に電子回路基板２７が固定され、裏側で点検口４６を塞ぐ矩形の底面部４８と、底面部４８の表側の外周部を囲んで設けられ、内側に電子回路基板２７を配置し、電子回路基板２７を保護する側壁部４９とを有している。そして、基板ケース４７は、底面部４８に対向する側は開放されており、この開放部から、サーミスタ４２及び水位センサ４０を、電子回路基板２７にそれぞれ信号接続する第１、第２の信号コード５１、５２の電子回路基板２７への取り付け、取り外しが可能である。
【００２４】
また、点検口４６が設けられた筐体１１の側部には、第１、第２の信号コード５１、５２が通される貫通孔である第１、第２の貫通孔５３、５４が形成されているので、筐体１１内に取り付けられたサーミスタ４２及び水位センサ４０に一端部が連結された第１、第２の信号コード５１、５２を、第１、第２の貫通孔５３、５４にそれぞれ通し、その他端部を、電子回路基板２７に連結することができる。そして、第１、第２の貫通孔５３、５４の周囲には、第１、第２の貫通孔５３、５４に第１、第２の信号コード５１、５２を通した状態で、空気の流出入をシールするゴム等からなるシール材が設けられている。
【００２５】
点検口４６が設けられた筐体１１の側部には、基板ケース４７に固定された電子回路基板２７、基板ケース４７、及び第１、第２の貫通孔５３、５４をそれぞれ通して配置された第１、第２の信号コード５１、５２を覆う収納部蓋５５が螺子により取り外し可能に取り付けられており、基板ケース４７に固定された電子回路基板２７へのほこりの付着を防ぐと共に、第１、第２の信号コード５１、５２を小動物等による損傷から保護している。
【００２６】
空気温調機１０は、点検口４６が設けられた筐体１１の側部が、床下への出入りをする出入口の近くになるように床下に配置されており、空気温調機１０の点検、修理等を行う作業者は、出入口から床下に入り、空気温調機１０の点検口４６が設けられた筐体１１の側部に近づくことができる。
そして、作業者が、点検、修理等のため筐体１１内に配置されたサーミスタ４２及び水位センサ４０を筐体１１の外に取り出すときには、収納部蓋５５を取り除き、次に、電子回路基板２７から第１、第２の信号コード５１、５２を取り外した後に、筐体１１に基板ケース４７を固定していた螺子を外して、基板ケース４７を筐体１１から遠ざけ、点検口４６を開口した状態にする。次に、作業者は、第１、第２の貫通孔５３、５４を介して、筐体１１外に露出した第１、第２の信号コード５１、５２を筐体１１内に引き込んだ後、点検口４６からドライバー等を筐体１１内に入れて、サーミスタ４２及び水位センサ４０の筐体１１内への固定を外し、点検口４６を通して、筐体１１内から第１、第２の信号コード５１、５２と共にサーミスタ４２及び水位センサ４０を取り出すことができる。
【００２７】
従って、空気温調機１０は、床下で筐体１１内からのサーミスタ４２及び水位センサ４０の取り外し、及び取り出しが行えるので、空気温調機１０を床下の出入口から外に出して、サーミスタ４２及び水位センサ４０の点検、修理等の作業をする必要がなく、作業時間の短縮が図れる。
また、一般に、高さの制限された床下では、作業者が、床下の出入口の近くに配置された筐体の側部と反対側にある側部に回り込むためには、筐体の前方又は、後方に作業者の通れる空間を設ける必要があり、吹出ダクト及び床下ダクトを吹出口、床下吹出口から外すか、吸込ダクトを吸込口から外すことになる。従って、本体内部品の一部は、筐体の例えば左側部（一側側部）から取り出され、他の本体内部品は、筐体の右側部（他側側部）から取り出される構造を有する場合には、全ての本体内部品の取り出しに長い時間を要する。
これに対し、空気温調機１０は、サーミスタ４２及び水位センサ４０の筐体１１内からの取り出しを、床下の出入口に近い筐体１１の側部が配置された方向から（即ち、点検口４６が設けられた側部側から）行えるので、筐体１１の反対側に回り込むことなく、サーミスタ４２及び水位センサ４０の点検、修理、取り換え等ができ、作業時間を短縮して効率的に点検、修理等の作業を行うことが可能である。
【００２８】
以上、本発明の実施の形態を説明したが、本発明は、上記した形態に限定されるものでなく、要旨を逸脱しない条件の変更等は全て本発明の適用範囲である。
例えば、空気温調機は天井裏に設置することができる。
また、点検口から取り出すことのできる本体内部品は、サーミスタ及び水位センサに限らず、その他の部品、例えばドレーン受けに溜ったドレーン水を強制的に外部に排出する排水ポンプ等であってもよい。
更に、点検口を介して、本体内部品の出し入れが行えるのに加え、点検口からドレーン管の詰まり等を取り除く作業を行うことも可能である。
そして、基板ケースの筐体への固定は螺子固定に限定されず、取り外し可能な固定であれば、他の固定機構を用いてもよい。
【符号の説明】
【００２９】
１０：空気温調機、１１：筐体、１３：熱交換器、１４、１５、１６、１７：吸込口、１８、１９：ファン、２１、２２：吹出口、２４：固定具、２５、２６：吹出ダクト、２７：電子回路基板、２８：床暖房ファン、２９：床下吹出口、３０：床下ダクト、３１：吹出チャンバ、３２、３３、３４、３５：吸込ダクト、３６：冷媒ガス配管、３７：冷媒液配管、３８：ドレーン受け、４０：水位センサ、４１：ドレーン管、４２：サーミスタ、４４：高さ調整部材、４６：点検口、４７：基板ケース、４８：底面部、４９：側壁部、５１：第１の信号コード、５２：第２の信号コード、５３：第１の貫通孔、５４：第２の貫通孔、５５：収納部蓋
【図１】
2011058651.tif 000003
【図２】
2011058651.tif 000004